(57)【要約】【課題】最新の緊急情報を常に自動更新することができ、しかも、緊急時には、印刷装置単体でも、緊急情報を迅速に印刷することができる印刷システムを提供することを目的とする。【解決手段】ネットワークで接続されている印刷装置とサーバとを具備する印刷システムにおいて、上記印刷装置は、画像データを受信し、一時的に蓄積する受信手段と、上記画像データの解析を行うデータ解析手段と、上記画像データ、住所情報を記憶するデータ記憶手段と、上記画像データを印字する印字手段と、上記住所情報の設定、または上記データ記憶手段に記憶されている画像データの出力を指示する操作手段とを有し、上記サーバは、上記印刷装置から受信した住所情報を解析する住所解析手段と、避難地図を記憶する地図記憶手段とを有する印刷システムである。【選択図】図７
2009090505.tif 000002
【特許請求の範囲】
【請求項１】
ネットワークで接続されている印刷装置とサーバとを具備する印刷システムにおいて、
上記印刷装置は、
画像データを受信し、一時的に蓄積する受信手段と；
上記画像データの解析を行うデータ解析手段と；
上記画像データ、住所情報を記憶するデータ記憶手段と；
上記画像データを印字する印字手段と；
上記住所情報の設定、または上記データ記憶手段に記憶されている画像データの出力を指示する操作手段と；
を有し、
上記サーバは、
上記印刷装置から受信した住所情報を解析する住所解析手段と；
避難地図を記憶する地図記憶手段と；
を有することを特徴とする印刷システム。
【請求項２】
請求項１において、
上記地図記憶手段に記憶されている避難地図を、上記印刷装置の上記データ記憶手段へダウンロードすることを特徴とする印刷システム。
【請求項３】
請求項２において、
上記ダウンロードは、上記印刷装置の起動時、上記印刷装置の上記住所情報が変更された時、または、上記サーバの避難地図が更新された時に、実行されることを特徴とする印刷システム。
【請求項４】
請求項２において、
上記サーバは、上記印刷装置から受信した住所情報を、上記住所解析手段が解析し、上記地図記憶手段に記憶されている上記避難地図の中から、該当する避難地図を選択し、ダウンロードすることを特徴とする印刷システム。
【請求項５】
請求項１において、
上記印刷装置は、上記データ記憶手段に記憶されている上記避難地図を、単体で印字可能であることを特徴とする印刷システムの印刷装置。
【請求項６】
ネットワークで接続されている印刷装置とサーバとを具備する印刷システムの制御方法において、
上記印刷装置は、画像データを受信し、一時的に蓄積し、上記画像データを解析し、上記画像データ、住所情報を記憶し、上記画像データを印字し、上記住所情報の設定、またはデータ記憶手段に記憶されている画像データの出力を指示し、
上記サーバは、上記印刷装置から受信した住所情報を解析し、避難地図を記憶することを特徴とする印刷システムの制御方法。
【請求項７】
請求項６において、
上記記憶されている避難地図を、上記印刷装置のデータ記憶手段へダウンロードすることを特徴とする印刷システムの制御方法。
【請求項８】
請求項７において、
上記ダウンロードは、上記印刷装置の起動時、上記サーバの起動時、上記印刷装置の上記住所情報が変更された時、または、上記サーバの避難地図が更新された時に、実行されることを特徴とする印刷システムの制御方法。
【請求項９】
請求項７において、
上記サーバは、上記印刷装置から受信した住所情報を、住所解析手段が解析し、地図記憶手段に記憶されている上記避難地図の中から、該当する避難地図を選択し、ダウンロードすることを特徴とする印刷システムの制御方法。
【発明の詳細な説明】
【技術分野】
【０００１】
本発明は、サーバから印刷装置へデータをダウンロードし、このダウンロードしたデータを、印刷装置へ記憶し、出力することが可能な印刷システムに関する。特に、災害等、緊急を要し、ネットワークのような通信手段が使用できない場合に、避難地図を出力する印刷システムに関する。
【背景技術】
【０００２】
サーバ等を利用し、印刷装置のデータを更新する場合、印刷装置を常に起動させるか、またはデータの更新時に起動させる等の運用が必要である。
【０００３】
しかし、上記従来の印刷システムでは、印刷装置が起動していなければ、データが更新されないことがある。
【０００４】
そこで、サーバのデータベースを更新する際に、予定されるサーバのデータベース更新日時の情報を報知する印刷装置が開示されている（たとえば、特許文献１参照）。
【特許文献１】特開２００５−２８６２９号公報
【発明の開示】
【発明が解決しようとする課題】
【０００５】
印刷装置が印刷する掲示物として、避難地図のように緊急時に使用するものがある。緊急時には、ネットワークのような通信手段を使用できない場合がある。また、緊急情報を不揮発メモリに記憶し、更新しないままにしておくと、情報が陳腐化する恐れがある。
【０００６】
本発明は、最新の緊急情報を常に自動更新することができ、しかも、緊急時には、印刷装置単体でも、緊急情報を迅速に印刷することができる印刷システムを提供することを目的とする。
【課題を解決するための手段】
【０００７】
本発明は、ネットワークで接続されている印刷装置とサーバとを具備する印刷システムにおいて、上記印刷装置は、画像データを受信し、一時的に蓄積する受信手段と、上記画像データの解析を行うデータ解析手段と、上記画像データ、住所情報を記憶するデータ記憶手段と、上記画像データを印字する印字手段と、上記住所情報の設定、または上記データ記憶手段に記憶されている画像データの出力を指示する操作手段とを有し、上記サーバは、上記印刷装置から受信した住所情報を解析する住所解析手段と、避難地図を記憶する地図記憶手段とを有する印刷システムである。
【発明の効果】
【０００８】
本発明によれば、最新の緊急情報を常に自動更新することができ、しかも、緊急時には、印刷装置単体でも、緊急情報を迅速に印刷することができるという効果を奏する。
【発明を実施するための最良の形態】
【０００９】
発明を実施するための最良の形態は、次の実施例である。
【実施例１】
【００１０】
図１は、本発明の実施例１である印刷システムＰＳ１を示す概略図である。
【００１１】
印刷システムＰＳ１は、印刷装置１０とサーバ２０とネットワークＮＷ１とを有する。
【００１２】
印刷装置１０は、緊急避難時の地図等を印刷する。サーバ２０は、広範囲の避難地図を記憶することが可能であり、上記避難地図は、更新可能である。印刷装置１０とサーバ２０とは、ネットワークＮＷ１で接続され、双方向の通信が可能である。
【００１３】
図２は、印刷装置１０とサーバ２０との構成を示す図である。
【００１４】
印刷装置１０は、受信部１１と、データ解析部１２と、データ記憶部１３と、印字部１４と、操作部３０とを有する。
【００１５】
受信部１１は、ネットワークＮＷ１を通じて送られた画像データを受信し、一時的に蓄積する。データ解析部１２は、受信部１１に蓄積されている画像データを解析する。画像データには、記憶指定のあるもの、ないもの、印字指定のあるもの、ないものが含まれている。したがって、データ解析部１２が、データ記憶部１３、印字部１４のどちらへ転送するかを決定する。データ記憶部１３は、データ解析部１２が、記憶指定があると解析した画像データを格納する。
【００１６】
印字部１４は、データ解析部１２が、印字指定があると解析した画像データを印字する。操作部３０は、ユーザが、印刷装置１０に対し各種操作指示を行うことができ、データ記憶部１３に記憶されている画像データを出力することができる。また、操作部３０は、印刷装置１０の住所を設定することができ、その住所情報を、データ記憶部１３に格納することができる。
【００１７】
つまり、受信部１１は、画像データを受信し、一時的に蓄積する受信手段の例であり、データ解析部１２は、上記画像データの解析を行うデータ解析手段の例である。また、データ記憶部１３は、上記画像データ、住所情報を記憶するデータ記憶手段の例であり、印字部１４は、上記画像データを印字する印字手段の例である。操作部３０は、上記住所情報の設定、または上記データ記憶手段に記憶されている画像データの出力を指示する操作手段の例である。
【００１８】
図２において、サーバ２０は、住所解析部２１と、地図記憶部２２とを有する。
【００１９】
住所解析部２１は、印刷装置１０で設定された住所情報を受信し、どの地図を印刷装置１０に送信するのかを決定する。地図記憶部２２は、避難場所ブロック毎の避難地図が格納され、避難場所が変更されると、更新される。
【００２０】
つまり、住所解析部２１は、上記印刷装置から受信した住所情報を解析する住所解析手段の例であり、地図記憶部２２は、避難地図を記憶する地図記憶手段の例である。
【００２１】
図２において、ネットワークＮＷ１は、上記住所情報、上記避難地図のやりとりに使用される。
【００２２】
図３は、操作部３０を示す詳細図である。
【００２３】
操作部３０は、電源キー３１と、液晶ディスプレイ３２と、上下左右キー３３と、ＯＫキー３４と、キャンセルキー３５と、避難地図キー３６とを有する。
【００２４】
電源キー３１は、印刷装置１０の電源をＯＮ、ＯＦＦすることができる。
【００２５】
液晶ディスプレイ３２は、印刷装置１０の状態の表示や、住所の設定等、ユーザとのやり取りの表示に使用される。上下左右キー３３は、ユーザが各種設定を行うために使用される。ＯＫキー３４は、上下左右キー３３を介して、選択した設定を決定するために使用される。キャンセルキー３５は、印刷のキャンセルや設定のキャンセルを行うために使用される。避難地図キー３６は、緊急時に避難地図を出力するために使用される。
【００２６】
次に、上記実施例の動作について説明する。
【００２７】
図４は、印刷装置１０を設置する際に、住所情報を設定するために、ユーザが操作部３０を介して行う操作手順を示す図である。
【００２８】
図４−１は、印刷装置１０が置かれている場所の郵便番号入力画面を示す図である。
【００２９】
上下左右キー３３を介して、数字を入力し、ＯＫキー３４を押すと、図４−２に示す入力画面へ移行する。一方、キャンセルキー３５を押すと、住所情報の設定処理が、終了される。
【００３０】
図４−２は、印刷装置１０が置かれている場所が、何丁目何番地であるかを入力する画面である。
【００３１】
上下左右キー３３を介して、数字を入力し、ＯＫキー３４を押すと、図４−３に示す入力画面へ移行する。一方、キャンセルキー３５を押すと、図４−１に示す入力画面へ戻る。
【００３２】
図４−３は、印刷装置１０が置かれている場所が正しいことを確認する画面である。
【００３３】
正しければ、ＯＫキー３４を押し、これによって、設定処理は終了となる。一方、キャンセルキー３５を押すと、図４−２に示す入力画面へ戻る。
【００３４】
図５〜図７は、サーバ２０の地図記憶部２２から、印刷装置１０のデータ記憶部１３へ、避難地図をダウンロードする制御方法を示す図である。
【００３５】
図５は、印刷装置１０において、起動時にダウンロードする動作を示すフローチャートである。
【００３６】
Ｓ１で、ユーザが、印刷装置１０を起動する。Ｓ２で、住所情報が設定されているかどうかを判定し、住所情報が設定されていない場合、Ｓ３で、住所設定をユーザに行わせる。住所情報が設定されている場合、または、Ｓ３に示す住所設定が終了すると、Ｓ４で設定された住所情報を、サーバ２０へ送信する。
【００３７】
サーバ２０は、Ｓ５で、印刷装置１０から住所情報を受信すると、住所解析部２１が、解析し、地図記憶部２２から該当する避難地図を印刷装置１０へ送信する。Ｓ６で、印刷装置１０は、データ解析部１２が避難地図であると判別し、データ記憶部１３が記憶する。Ｓ７で、記憶が終了すると、印刷装置１０は印刷可能状態となる。
【００３８】
図６は、印刷装置１０において、住所設定が変更された場合におけるダウンロードの動作を示すフローチャートである。
【００３９】
Ｓ１１で、印刷装置１０の住所情報変更が行われる。Ｓ１２で、印刷装置１０の住所設定が変更されているかどうかを判定し、変更されていなければ、Ｓ１６で、印刷可能状態となる。住所設定が変更されていれば、Ｓ１３で、設定された住所情報をサーバ２０へ送信する。サーバ２０は、Ｓ１４で、印刷装置１０から住所情報を受信すると、住所解析部２１で、解析し、地図記憶部２２から、該当する避難地図を印刷装置１０へ送信する。Ｓ１５で、印刷装置１０は、データ解析部１２が避難地図であると判別し、データ記憶部１３へ記憶する。Ｓ１６で、記憶が終了すると、印刷装置１０は、印刷可能状態になる。
【００４０】
図７は、サーバ２０の避難地図が更新された場合におけるダウンロードの動作を示すフローチャートである。
【００４１】
Ｓ２１で、サーバ２０の地図記憶部２２に記憶されている避難地図を更新する。Ｓ２２で、サーバ２０は、印刷装置１０へ避難地図の更新がされたことを通知する。Ｓ２３で、印刷装置１０が、ダウンロード可能状態であるかどうかを判定し、ダウンロード可能状態でなければ、Ｓ２７で、処理を終了する。ダウンロード可能状態であれば、Ｓ２４で、設定されている住所情報を、サーバ２０へ送信する。サーバ２０は、Ｓ２５で、印刷装置１０から住所情報を受信すると、住所解析部２１が、解析し、地図記憶部２２から、該当する避難地図を、印刷装置１０へ送信する。Ｓ２６で、印刷装置１０は、データ解析部１２で避難地図と判別し、データ記憶部１３へ記憶する。Ｓ２７で、記憶が終了すると、印刷装置１０は、印刷可能状態になる。
【００４２】
つまり、上記実施例において、上記地図記憶手段に記憶されている避難地図を、上記印刷装置の上記データ記憶手段へダウンロードする。この場合、上記ダウンロードは、上記印刷装置の起動時、上記印刷装置の上記住所情報が変更された時、または、上記サーバの避難地図が更新された時に、実行される。また、上記サーバは、上記印刷装置から受信した住所情報を、上記住所解析手段が解析し、上記地図記憶手段に記憶されている上記避難地図の中から、該当する避難地図を選択し、ダウンロードする。
【００４３】
図８は、本発明の他の実施例である印刷システムＰＳ２において、災害時に通信手段が使用できなくても、印刷装置１０が単体で避難地図を印刷することができる状態を示す図である。
【００４４】
印刷システムＰＳ２は、印刷装置１０と、ネットワークＮＷ１と、ホストコンピュータ４０とを有する。
【００４５】
印刷装置１０は、緊急避難時の地図等を印刷する機能を備える。ホストコンピュータ４０は、画像データを生成し、印刷装置１０へ送信することによって、印字が可能である。印刷装置１０とホストコンピュータ４０とは、ネットワークＮＷ２で接続され、通常時は、双方向の通信が可能であるが、図８では、災害時に通信手段が使用できない場合を表す。
【００４６】
次に、図８に示す状態において、印刷装置１０単体で、避難地図を印刷する方法について説明する。
【００４７】
印刷装置１０の操作部３０は、図３に示す構成を有する。印刷装置１０が印字可能状態であるときに、避難地図キー３６を押すと、印刷装置１０は、データ記憶部１３に記憶されている避難地図を読み出し、印字部１４へ転送し、印字を行う。
【００４８】
以上によって、通信手段が使用できないときに、印刷装置１０単体で避難地図を印刷することが可能である。
【００４９】
つまり、上記印刷装置は、上記データ記憶手段に記憶されている上記避難地図を、単体で印字可能である。
【００５０】
また、上記実施例を方法の発明として把握することができる。すなわち、上記実施例は、ネットワークで接続されている印刷装置とサーバとを具備する印刷システムの制御方法である。また、上記印刷装置は、画像データを受信し、一時的に蓄積し、上記画像データを解析し、上記画像データ、住所情報を記憶し、上記画像データを印字し、上記住所情報の設定、または上記データ記憶手段に記憶されている画像データの出力を指示する。上記サーバは、上記印刷装置から受信した住所情報を解析し、避難地図を記憶することを特徴とする印刷システムの制御方法の例である。
【００５１】
この場合、上記記憶されている避難地図を、上記印刷装置のデータ記憶手段へダウンロードする。また、上記ダウンロードは、上記印刷装置の起動時、上記サーバの起動時、上記印刷装置の上記住所情報が変更された時、または、上記サーバの避難地図が更新された時に、実行される。さらに、上記サーバは、上記印刷装置から受信した住所情報を、上記住所解析手段が解析し、地図記憶手段に記憶されている上記避難地図の中から、該当する避難地図を選択し、ダウンロードする。
【図面の簡単な説明】
【００５２】
【図１】本発明の実施例１である印刷システムＰＳ１を示す概略図である。
【図２】印刷装置１０とサーバ２０との構成を示す図である。
【図３】操作部３０を示す詳細図である。
【図４−１】印刷装置１０が置かれている場所の郵便番号入力画面を示す図である。
【図４−２】印刷装置１０が置かれている場所が、何丁目何番地であるかを入力する画面である。
【図４−３】印刷装置１０が置かれている場所が正しいことを確認する画面である。
【図５】印刷装置１０において、起動時にダウンロードする動作を示すフローチャートである。
【図６】印刷装置１０において、住所設定が変更された場合におけるダウンロードの動作を示すフローチャートである。
【図７】サーバ２０の避難地図が更新された場合におけるダウンロードの動作を示すフローチャートである。
【図８】本発明の他の実施例である印刷システムＰＳ２において、災害時に通信手段が使用できなくても、印刷装置１０が単体で避難地図を印刷することができる状態を示す図である。
【符号の説明】
【００５３】
ＰＳ１、ＰＳ２…印刷システム、
１０…印刷装置、
１１…受信部、
１２…データ解析部、
１３…データ記憶部、
１４…印字部、
２０…サーバ、
２１…住所解析部、
２２…地図記憶部、
３０…操作部、
３１…電源キー、
３２…液晶ディスプレイ、
３３…上下左右キー、
３４…ＯＫキー、
３５…キャンセルキー、
３６…避難地図キー。
【図１】
2009090505.tif 000003
【図２】
2009090505.tif 000004
【図３】
2009090505.tif 000005
【図４−１】
2009090505.tif 000006
【図４−２】
2009090505.tif 000007
【図４−３】
2009090505.tif 000008
【図５】
2009090505.tif 000009
【図６】
2009090505.tif 000010
【図７】
2009090505.tif 000011
【図８】
2009090505.tif 000012